(57)【特許請求の範囲】
【請求項１】
箱状に一体成形された樹脂製のシャーシ内に画像読取装置を収容する構成において、スキャナの移動方向と直交する方向のガイド溝をシャーシの底面に形成し、該ガイド溝にハーネスを案内し、該ハーネスを板金製のシールド部材により挟み込み、該シールド部材にてグランド側に接続する構成としたことを特徴とするハーネスの固定構造。
【請求項２】
前記シールド部材は、前記シャーシに配置される支持部材と、グランド側に接続されるグランド部材とから構成され、共通の止具にてシャーシに固定される構成としたことを特徴とする請求項１記載のハーネスの固定構造。
【請求項３】
前記支持部材は、前記シャーシに設けられた係止孔に係合する係合凸部を備える構成としたことを特徴とする請求項２記載のハーネスの固定構造。
【発明の詳細な説明】
【０００１】
【発明の属する技術分野】
本発明は、画像読取装置の構成に関するもので、詳しくは、スキャナによる画像読取情報を制御部へと送信するハーネスの固定構造に関する。
【０００２】
【従来の技術】
画像読取装置は、静止原稿に対してシャーシ内に設けられたスキャナを走査させることにより、若しくは、自動給紙装置から給紙された原稿をスキャナ上で搬送させることにより画像を読取る装置であり、これら画像読取装置のシャーシ、スキャナ、自動給紙装置、原稿押えカバー等は一体として読取ユニットとして構成されている。また、画像読取装置等を内装するシャーシは、軽量化を図るために最近においては樹脂製のものが用いられるようになっている。
上記スキャナはシャーシ内において摺動自在に支持されており、モータ駆動によりシャーシ内を往復摺動することにより、シャーシ上部に配置されたプラテンガラス上の原稿を読取る構成である。そして、移動走行するスキャナには読取った画像情報を制御部へと送信するためのハーネスが接続されている。
【０００３】
【発明が解決しようとする課題】
スキャナによる画像情報の高精度な読取が要求される中で、上記スキャナに接続されたハーネスは、画像読取装置内において移動走行するスキャナのモータ等からノイズ影響を受けないようにシールドする必要がある。また、上述の如く軽量化を目的としてシャーシ全体を樹脂製で構成している場合には、画像読取装置内で帯電する各部品が電気的に隔離されないようグランド側との接続を確保する必要がある。その一方で、低コスト化とコンパクト化が要求される画像読取装置においては、限られたスペースとコストの中で上述した問題を解決する必要がある。本発明は以上の要求から、シャーシ全体を樹脂製で構成して軽量化を図ると共に、ハーネスのシールドと、構成部品のグランド側への接続を簡易かつ低コストに実現することを課題とする。
【０００４】
【課題を解決するための手段】
本発明の解決しようとする課題は以上の如くであり、次に課題を解決するための手段について説明する。
即ち、請求項１記載の如く、箱状に一体成形された樹脂製のシャーシ内に画像読取装置を収容する構成において、スキャナの移動方向と直交する方向のガイド溝をシャーシの底面に形成し、該ガイド溝にハーネスを案内し、該ハーネスを板金製のシールド部材により挟み込み、該シールド部材にてグランド側に接続する構成とした。
【０００５】
また、請求項２記載の如く、前記シールド部材は、前記シャーシに配置される支持部材と、グランド側に接続されるグランド部材とから構成され、共通の止具にてシャーシに固定される構成とした。
【０００６】
また、請求項３記載の如く、前記支持部材は、前記シャーシに設けられた係止孔に係合する係合凸部を備える構成とした。
【０００７】
【発明の実施の形態】
次に、本発明の実施の形態を添付の図面を用いて説明する。
図１は、本発明に係る画像読取装置を有する一実施例であるファクシミリ装置の斜視図、図２は同じく正面断面図、図３は画像読取装置を収容するシャーシの平面図、図４は同じく側面断面図、図５はシャーシ上部に補強プレートを取付けた状態を示す平面図、図６（ａ）は本発明に係るシールド部材を示す平面図、（ｂ）は同じく右側面断面図、図７は同じく平面図、図８は読取ユニットの平面図である。
【０００８】
まず、本発明の画像読取装置が適用されるファクシミリ装置の概略構成について、図１、図２により説明する。
ファクシミリ装置Ｆは、記録部１の上方に読取部である読取ユニット２を配置して構成され、該読取ユニット２は、記録部１に対して回動支点２０を中心に上下回動可能とされている。記録部１には画像形成装置３及び給紙カセット４がそれぞれ上下に内装されており、給紙カセット４内に堆積される用紙を画像形成装置３へ給紙して記録した後に、記録紙排出トレイ５へ排出するように構成している。以下の説明においては便宜的に図１等に示す矢視Ａをファクシミリ装置Ｆの前部側（正面側）とする。
【０００９】
一方、読取ユニット２においては、上面を透明状の原稿載置面１４とした読取ケース１３内にスキャナ６０等からなる画像読取装置６を収納しており、該原稿載置面１４上に載置された原稿を該スキャナ６０により走査して、読み取りを行うようにしている。
また、読取ケース１３の上方には、その一辺を中心として開閉可能に構成される原稿押えカバー７が配置され、該原稿押えカバー７により原稿載置面１４上に載置された原稿を上方から押えるものとしている。
【００１０】
原稿押えカバー７の一端部には原稿を自動的に給紙する自動給紙装置（ＡＤＦ装置）８が付設され、該自動給紙装置８は給紙装置１１と搬送装置１２とにより構成されている。
そして、原稿供給トレイ９に載置した原稿を、自動給紙装置８の給紙装置１１により一枚ずつピックアップして、搬送装置１２により原稿載置面１４の一端部に設けられたＡＤＦ読取部１７へ搬送し、スキャナ６０により内容を読み取った後に、原稿押えカバー７の上面に形成される原稿排出トレイ１０へ排出するように構成している。
【００１１】
即ち、読取ユニット２は、スキャナ６０を走査させて静止原稿を読み取るフラットベッドタイプのスキャナとして用いるとともに、スキャナ６０を位置固定して原稿を給送しながら読み取りを行うシートフィードタイプのスキャナとして用いることができるように構成されている。
【００１２】
また、読取ケース１３の前部にはキーパネル１５が付設され、該キーパネル１５の各種操作キーを操作することにより、原稿内容の読み取りを行ったり、読み取った内容をファクシミリ送信する際の送信先の設定を行ったり、受信内容や読み取った内容の画像形成装置３による記録を行ったりするようにしている。
【００１３】
次に前記読取ケース１３内の構成について説明する。
図２に示すように読取ケース１３は内部に樹脂製のシャーシ２１を収容しており、該シャーシ２１内にスキャナ６０等からなる画像読取装置６を配する構成としている。シャーシ２１は図３の平面図、図４の側面図で示すように、底面及び四方の側面が一体成形された箱型の形状であり、シャーシ２１全体を樹脂で構成することにより読取ユニット２の軽量化を図っている。また、該シャーシ２１の前部には補強ウィング２２が取り付けられている。
【００１４】
補強ウィング２２は、図３で示すように平面視略台形状の底面２２ｂ、格子状に設けられたリブ２２ｒ、側面２２ａ・２２ａが樹脂で一体成形されており、樹脂一体成形されたシャーシ２１の強度を補強している。そして、図６に示すように該補強ウィング２２の上部には、前記キーパネル１５が設けられる構成として、キーパネル１５の支持部材としての役割も兼ねる構成としている。
【００１５】
シャーシ２１後部側の両側部には、支持台２６・２６が設けられており、該支持台２６・２６にそれぞれ設けられた支持孔２６ａ・２６ａに前記原稿押えカバー７の図示せぬ支持ピンを挿入することにより、該原稿押えカバー７をシャーシ２１上に載置する構成とし、該支持ピンの上部に設けられた図示せぬヒンジにより原稿押えカバー７の開閉を可能としている。
【００１６】
図５に示すようにシャーシ２１の前後及び左右側面の上部には、それぞれ板金プレートである補強プレート２３Ｆ・２３Ｂ・２３Ｌ・２３Ｒ（以下、適宜補強プレート２３と略す）がボルト等の止具により取付けられている。該補強プレート２３は、シャーシ２１の補強部材としての役割と併せて、前記原稿載置面１４を構成するプラテンガラス２４の支持プレートとしての役割を有している。
【００１７】
また、図５に示すようにシャーシ２１内の後部側には左右方向に前記スキャナ６０走査用のガイドロッド６１が横設されている。該ガイドロッド６１はシャーシ２１の両側面に設けられた取付孔に挿嵌されるとともに、左右一側（本実施例では左側）の取付孔の位置において位置決め用の取付部材２５を介してシャーシ２１に固定される構成としている。また、該取付部材２５は前記補強プレート２３Ｌと同一の止具によりシャーシ２１に固定されており、該取付部材２５を介してガイドロッド６１をグランド側（補強プレート２３側）に接続している。
【００１８】
また、前部側の補強プレート２３Ｆは図４に示すように断面視略コ字形状に形成されたプレートであり、該補強プレート２３Ｆの上部側の面をプラテンガラス２４を支持するプラテンガラス支持面２３ａとし、下部側の面を前記スキャナ６０とのスキャナ摺動面２３ｂとしている。
一方、図４に示すようにシャーシ２１内の前後方向に設けられたスキャナ６０の一端（後端）にはガイド孔６０ａが設けられ、該ガイド孔６０ａにガイドロッド６１を挿嵌している。また、スキャナ６０の他端（前端）の下部には摺動部６０ｂが形成されており、該摺動部６０ｂが前記補強プレート２３Ｆのスキャナ摺動面２３ｂ上に載置されている。
【００１９】
以上のような構成において、モータ６３（図７に図示）により駆動されたスキャナ６０は、一端（後端）側をガイドロッド６１により支持され、また、他端（前端）側をスキャナ摺動面２３ｂにより支持されながら、図７に示すように左右方向（スキャナ移動方向Ｂ）に移動可能としており、フラットベッドスキャナとして機能する場合には、スキャナ移動方向Ｂに移動しながら静止原稿の読取を行う。また、自動給紙装置８を使用する場合には、矢視Ｃ位置に移動停止して搬送原稿の読取を行う。
【００２０】
次に本発明に係るハーネスの固定構造について説明する。
前記スキャナ６０は、内部に光源である蛍光管、光学系、ＣＣＤ等を内装したユニット構成であり、ＣＣＤにより光電変換された画像情報（データ）がハーネス６２を介して図示せぬ制御部へと送信される構成としている。ハーネス６２は図１及び図７で示すようにスキャナ６０の左側部に接続され、スキャナ移動方向Ｂに延設した後、下方に湾曲して表裏逆となった状態でシャーシ２１の底面の上に配置される。
【００２１】
一方、図３で示すようにシャーシ２１の底面には、ハーネス６２のガイド溝２７が形成されている。ガイド溝２７は、スキャナ移動方向Ｂに対して略平行に配置される平行部２７ａと、該平行部２７ａとは直交する方向（シャーシ２１の前後方向）に配置される直交部２７ｂとから構成されており、ハーネス６２の略厚さ分の深さを有している。このように形成されたガイド溝２７に前記スキャナ６０側部に接続されたハーネス６２が、まず平行部２７ａにガイドされ、直角に屈曲されて直交部２７ｂに案内される。そして、この直交部２７ｂにおいてハーネス６２は本発明に係るシールド部材（支持部材２８及びグランド部材２９）に上下から挟まれる構成としている。
【００２２】
シールド部材である支持部材２８は、図６に示すように、平面視略長方形状の平板プレートであり前記ガイド溝２７の直交部２７ｂ上に直接配置され、一端側はボルト２８ａによりシャーシ２１に固定されており、他端側に設けられた係合凸部２８ｂがシャーシ２１の内壁２１ｃ下端付近に形成された係止孔２１ｂ（図３に図示）に係合されている。そして、この支持部材２８の上部に直交方向に屈曲されたハーネス６２が配置され、その上部にもう１つのシールド部材であるグランド部材２９を被せる構成としている。グランド部材２９は図６に示すように、直交部２７ｂにおいて、支持部材２８に平面視で略ラップするように配置され、一端側は支持部材２８を固定しているものと同一のボルト２８ａによってシャーシ２１に固定されており、他端側（後端側）がシャーシ２１の内壁２１ｃに沿うように略垂直上方に屈曲し、さらにその上端部が屈曲して略水平方向後方側に延設している。そして、この延設部が内壁２１ｃを貫通して内壁２１ｃの後部側に突設し、この突設した部分がグランド側（補強プレート２３Ｂ）に接続されている。
【００２３】
このような構成において、ハーネス６２は直交部２７ｂにおいて支持部材２８とグランド部材２９に挟持された後、略垂直上方に屈曲してシャーシ２１の内壁２１ｃとグランド部材２９に挟持され、さらにグランド部材２９の上端の屈曲部において後方側に案内され、内壁２１ｃを貫通し、内壁２１ｃ後部側のシャーシ２１内に設けられた図示せぬ制御部に接続されるのである。このように本発明においては、スキャナ６０に接続されるハーネス６２が、スキャナ移動方向Ｂとは直交する方向に導かれるので、移動しながら画像読取を行うスキャナ６０との干渉を防止すると共に、該ハーネス６２をシールド部材２８・２９で挟み込むことにより、画像読取装置６による画像読取時にノイズの影響を受けずに高精度な画像信号の送信を可能としているのである。
【００２４】
また、上述の如くシールド部材の一方であるグランド部材２９は、その上端部においてグランド側に接続されているので、本実施例のようにシャーシ２１全体を樹脂製で構成し軽量化を図っている構成であっても、シールド部材が電気的に隔離されることはない。このようにハーネス６２を被装するシールド部材をグランド接続用の部材で兼用することで部品点数の削減を行い、コストダウンと組立て工程の簡素化を実現しているのである。また、上述の如く支持部材２８は、その端部に設けられた係合凸部２８ｂによりシャーシ２１側に係合させる構成としているので、組立てが簡単でありメンテナンス性にも優れている。
【００２５】
【発明の効果】
本発明は以上の如く構成したので、以下のような効果を奏するものである。
即ち、請求項１記載の如く、箱状に一体成形された樹脂製のシャーシ内に画像読取装置を収容する構成において、スキャナの移動方向と直交する方向のガイド溝をシャーシの底面に形成し、該ガイド溝にハーネスを案内し、該ハーネスを板金製のシールド部材により挟み込み、該シールド部材にてグランド側に接続する構成としたので、ハーネスと移動しながら画像読取を行うスキャナとの干渉を防止すると共に、該ハーネスをシールド部材で挟み込むことにより、画像読取装置による画像読取時にノイズの影響を受けずに高精度な画像信号の送信を可能としているのである。
【００２６】
また、請求項２記載の如く、前記シールド部材は、前記シャーシに配置される支持部材と、グランド側に接続されるグランド部材とから構成され、共通の止具にてシャーシに固定される構成としたので、シャーシ全体を樹脂一体成形した構成においても、グランド側との接続が確保される。また、シールド部材とグランド部材が一体構成としているので、部品点数を増加させることなく、簡易な構成でシールドと接地を可能とした。また、同一の止具により双方のシールド部材を固定することでも部品点数の削減を図っている。
【００２７】
また、請求項３記載の如く、前記支持部材は、前記シャーシに設けられた係止孔に係合する係合凸部を備える構成としたので、組立てが簡単でメンテナンス性に優れた構成となった。
【図面の簡単な説明】
【図１】本発明に係る画像読取装置を有する一実施例であるファクシミリ装置の斜視図である。
【図２】同じく正面断面図である。
【図３】画像読取装置を収容するシャーシの平面図である。
【図４】同じく側面断面図である。
【図５】シャーシ上部に補強プレートを取付けた状態を示す平面図である。
【図６】（ａ）は本発明に係るシールド部材を示す平面図、（ｂ）は同じく右側面断面図である。
【図７】読取ユニットの平面図である。
【符号の説明】
２１    シャーシ
２１ｂ  係止孔
２７    ガイド溝
２７ａ  平行部
２７ｂ  直角部
２８    支持部材
２８ａ  ボルト
２８ｂ  係合凸部
２９    グランド部材
６０    スキャナ
６２    ハーネス
【図１】
0004010088.tif 000002
【図２】
0004010088.tif 000003
【図３】
0004010088.tif 000004
【図４】
0004010088.tif 000005
【図５】
0004010088.tif 000006
【図６】
0004010088.tif 000007
【図７】
0004010088.tif 000008